(57)【要約】      （修正有）【課題】商品陳列作業を短時間で行なうことができ、且つ、内部に商品を収容した状態でも容易な運送が可能となる商品陳列装置を提供する。【解決手段】複数の筆記具用部品を収容した商品陳列装置1であり、正面板２と、第一１側面板３と、第二側面板と、背面板５と、天面板６と、底面板とからなる。背面板５を上方に延長し、背面板５の上端部に、天面板６より上方に突出する突出片部５１を形成する。突出片部５１に、吊下陳列用フックが係合可能な係合孔５２を設ける。ミシン目を、正面板２と、第一側面板３と、第二側面板とに設ける。天面板６と、正面板２上端部と、第一側面板３の正面側上端部と、第二側面板の正面側上端部とをミシン目に沿って切断除去可能に構成する。【選択図】図４
2008285220.tif 000002
【特許請求の範囲】
【請求項１】
複数の筆記具用部品を収容した商品陳列装置であって、正面板と、第一側面板と、第二側面板と、背面板と、天面板と、底面板とからなり、前記背面板を上方に延長し、前記背面板の上端部に、天面板より上方に突出する突出片部を形成し、前記突出片部に、吊下陳列用フックが係合可能な係合孔を設け、前記天面板をミシン目に沿って切断除去可能に構成したことを特徴とする商品陳列装置。
【請求項２】
前記ミシン目を、正面板と、第一側面板と、第二側面板とに設けた請求項１記載の商品陳列装置。
【請求項３】
前記背面板が上端で折り返される二重の板片からなる請求項１または２記載の商品陳列装置。
【請求項４】
奥行き寸法Ｄ、底面から係合孔上端までの高さＨが、
０．５≦Ｄ／Ｈ≦２
の関係を満足する請求項１、２または３記載の商品陳列装置。
【発明の詳細な説明】
【技術分野】
【０００１】
本発明は、複数の筆記具用部品を収容した商品陳列装置に関する。
【背景技術】
【０００２】
従来、筆記具における商品陳列装置として、たとえば、特許文献１には、多種類の商品（筆記具）を収容し且つ吊り下げ陳列が可能な陳列装置が開示されている。
【０００３】
【特許文献１】特開平８−２８２６５４号公報
【発明の開示】
【発明が解決しようとする課題】
【０００４】
前記従来の商品陳列装置は、商品を陳列するには、まず、陳列装置を組み立て、その後、該陳列装置内に商品を収容する作業を余儀なくされる。そのため、商品陳列作業にかなりの時間を要する。また、前記従来の商品陳列装置は、商品を収容した状態で運送する場合、商品が商品陳列装置の上部開口から脱落するおそれがあり、商品を収容した状態で運送することは困難である。
【０００５】
本発明は前記従来の問題点を解決するものであって、商品陳列作業を短時間で行なうことができ、且つ、内部に商品を収容した状態でも容易な運送が可能となる商品陳列装置を提供しようとするものである。
【課題を解決するための手段】
【０００６】
本願の第１の発明は、複数の筆記具用部品を収容した商品陳列装置であって、正面板２と、第一側面板３と、第二側面板４と、背面板５と、天面板６と、底面板７とからなり、前記背面板５を上方に延長し、前記背面板５の上端部に、天面板６より上方に突出する突出片部５１を形成し、前記突出片部５１に、吊下陳列用フック１０が係合可能な係合孔５２を設け、前記天面板６をミシン目８に沿って切断除去可能に構成したことを要件とする。
【０００７】
前記第１の発明の商品陳列装置１は、天面板６をミシン目８に沿って切断除去可能に構成したことにより、商品陳列時に天面板６を迅速に切断除去でき、商品陳列作業を短時間で行なうことができる。また、前記第１の発明の商品陳列装置１は、内部に筆記具用部品９を収容した状態で運送する場合、正面板２、第一側面板３、第二側面板４、背面板５、天面板６、及び底面板７により閉鎖状態にあるため、筆記具用部品９が外部に脱落するおそれがなく、内部に筆記具用部品９を収容した状態でも容易な運送が可能となる。
【０００８】
尚、本発明で、筆記具用部品９（商品）とは、筆記具用消耗部品であり、例えば、交換用ペン先、交換用消しゴム、交換用インキカートリッジ、シャープペンシル用鉛芯等が挙げられる。
【０００９】
本願の第２の発明は、前記第１の発明において、前記ミシン目８を、正面板２と、第一側面板３と、第二側面板４とに設けたことを要件とする。
【００１０】
前記第２の発明の商品陳列装置１は、ミシン目８に沿って、天面板６と、正面板２の上端部と、第一側面板３の正面側の上端部と、第二側面板４の正面側の上端部とを切断除去でき、それにより、上端が正面側に大きく開口し、商品を正面から取り出すことが容易となる。
【００１１】
本願の第３の発明は、前記第１または第２の発明において、前記背面板５が上端で折り返される二重の板片からなることを要件とする。
【００１２】
前記第３発明の商品陳列装置１は、前記背面板５が上端で折り返される二重の板片からなることにより、突出片部５１を二重の板片から構成でき、突出片部５１の強度を向上させることができ、安定した吊り下げ陳列状態が得られる。
【００１３】
本願の第４の発明は、前記第１、第２または第３の発明において、奥行き寸法Ｄ、底面から係合孔５２上端までの高さＨが、「０．５≦Ｄ／Ｈ≦２」の関係を満足することを要件とする。
【００１４】
前記第４の商品陳列装置１は、奥行き寸法Ｄ、底面から係合孔５２上端までの高さＨが、「０．５≦Ｄ／Ｈ≦２」の関係を満足することにより、吊下陳列用フック１０を係合孔５２に係合し、商品陳列装置１を吊り下げ陳列した際、内部に収容された筆記具用部品９が外部に脱落することを回避できる。もし、Ｄ／Ｈの値が２よりも大きいとき（Ｄ／Ｈ＞２のとき）、吊り下げ陳列した際、内部に収容された筆記具用部品９の重量で、商品陳列装置１の正面が下方に傾き、内部に収容された筆記具用部品９が外部に脱落するおそれがある。逆に、Ｄ／Ｈの値が０．５よりも小さいとき（Ｄ／Ｈ＜０．５のとき）、突出片部５１の長さが過剰に長くなり、陳列スペースの確保が困難となる。
【発明の効果】
【００１５】
本発明・商品陳列装置は、商品陳列作業を短時間で行なうことができ、且つ、内部に商品を収容した状態でも容易な運送が可能となる。
【発明を実施するための最良の形態】
【００１６】
本発明・商品陳列装置１の実施の形態を、図１乃至図５に示す。
本実施の形態の商品陳列装置１は、正面板２と、第一側面板３と、第二側面板４と、背面板５と、天面板６と、底面板７とからなる直方体形状の収容部を有する。前記商品陳列装置１は、板紙またはダンボールシートの1枚のブランク板から組み立てられる。
【００１７】
前記背面板５は、上方に延長され、前記背面板５の上端部に、天面板６より上方に突出する突出片部５１が構成される。前記背面板５は、上端で折り返され、２重の板片からなる突出片部５１が形成される。前記突出片部５１に、吊下陳列用フック１０が係合可能な係合孔５２が貫設される。本実施の形態では、奥行き寸法Ｄ、底面から係合孔５２上端までの高さＨが、「０．５≦Ｄ／Ｈ≦１．５」の関係を満足する。
【００１８】
・開口状態
図１に、本実施の形態の商品収容前の状態を示す。
前記天面板６は前記正面板２の上端と折り曲げ線を介して連設される。前記天面板６の端部には、折り曲げ線を介して折込片６１が連設される。前記第一側面板３の上端には、折り曲げ線を介して第一耳片３１が連設される。前記第二側面板４の上端には、折り曲げ線を介して第二耳片４１が連設される。本実施の形態の商品陳列装置１は、筆記具用部品９（商品）を内部に収容する前において、上方に開口されている（図１参照）。
【００１９】
・ミシン目
前記正面板２には、水平方向にミシン目８が設けられる。前記第一側面板３には、前記正面板２のミシン目８と連接し、斜め上方に向かうミシン目８が設けられる。前記第二側面板４には、前記正面板２のミシン目８と連接し、斜め上方に向かうミシン目８が設けられる。前記第一耳片３１と第一側面板３との間の折り曲げ線の背面側には、前記第一側面板３のミシン目８と連接するミシン目８が設けられる。前記第二耳片４１と第二側面板４との間の折り曲げ線の背面側には、前記第二側面板４のミシン目８と連接するミシン目８が設けられる。
【００２０】
・商品収容状態
図２に、本実施の形態の商品収容後の状態を示す。
前記商品陳列装置１の上端開口部から複数の筆記具用部品９を入れ、前記商品陳列装置１の内部に筆記具用部品９が収容される。本実施の形態では、筆記具用部品９を収容した複数個の小箱（例えば、複数個の筆記具の交換用ペン先を収容した小箱）が商品陳列装置１内に収容される。
【００２１】
・閉鎖状態
図３に、本実施の形態の閉鎖状態（梱包状態）を示す。
前記商品陳列装置１の内部に複数の筆記具用部品９（複数個の小箱）を収容した後、天面板６で上端開口部を覆い、第一耳片３１及び第二耳片４１を天面板６に貼着し、折込片６１を、背面板５内面と第一耳片３１及び第二耳片４１との隙間に差し込む。それにより、商品陳列装置１内に筆記具用部品９が収容され、上端開口部が閉鎖された状態となる。本実施の形態の商品陳列装置１は、この状態で出荷され、運送段階を経て商品陳列直前まで、この状態が維持される（図３参照）。
【００２２】
・開封時
図４に、本実施の形態の上端を開封した状態を示す。
本実施の形態の商品陳列装置１は、商品陳列の直前に、ミシン目８に沿って、正面板２の上部と、第一側面板３の正面側上端部と、第二側面板４の正面側上端部と、折込片６１を備えた天板とが切断除去され、各々の商品が取り出し可能に露出される。
【００２３】
図５に、本実施の形態の吊り下げ陳列状態を示す。
前記商品陳列装置１は、吊下陳列用フック１０に係合孔５２が係合され、吊り下げ陳列される。尚、本実施の形態の商品陳列装置１は陳列台に載置した状態で陳列することもできる。
【図面の簡単な説明】
【００２４】
【図１】本発明の実施の形態の商品収容前の状態を示す斜視図である。
【図２】本発明の実施の形態の商品収容直後の状態を示す斜視図である。
【図３】本発明の実施の形態の、商品収容後、上端開口部を閉鎖した状態を示す斜視図である。
【図４】本発明の実施の形態の上端部を切断除去した状態を示す分解斜視図である。
【図５】本発明の実施の形態の吊り下げ陳列状態を示す側面図である。
【符号の説明】
【００２５】
１  商品陳列装置
２  正面板
３  第一側面板
３１  第一耳片
４  第二側面板
４１  第二耳片
５  背面板
５１  突出片部
５２  係合孔
６  天面板
６１  折込片
７  底面板
８  ミシン目
９  筆記具用部品（商品）
１０  吊下陳列用フック
Ｄ  奥行き寸法
Ｈ  底面から係合孔上端までの高さ
【図１】
2008285220.tif 000003
【図２】
2008285220.tif 000004
【図３】
2008285220.tif 000005
【図４】
2008285220.tif 000006
【図５】
2008285220.tif 000007